(57)【要約】【課題】内燃機関の制動力を高めると共に、クランク室内の気圧を調整する構成を簡略化すること。【解決手段】内部にクランクシャフト（７０）を収容し、密閉された空間を有するクランク室（２２）を備えたクランクケース（２）と、クランク室の内部の気体をクランク室の外側に排出する排出装置（６）とを有する内燃機関のクランク室内気圧制御システム（８）であって、クランクケースは、内部にクランク室と連通するミッション室（２３）と、クランク室とミッション室との連通状態を、開閉で切換える連通バルブ（２５）とを備える構成とした。【選択図】図２
2015224591.tif 000002
【特許請求の範囲】
【請求項１】
内部にクランクシャフトを収容し、密閉された空間を有するクランク室を備えたクランクケースと、前記クランク室の内部の気体を前記クランク室の外側に排出する排出装置とを有する内燃機関のクランク室内気圧制御システムであって、
前記クランクケースは、内部に前記クランク室と連通する連通室と、前記クランク室と前記連通室との連通状態を、開閉で切換える開閉機構とを備えることを特徴とする内燃機関のクランク室内気圧制御システム。
【請求項２】
前記内燃機関は、車両に搭載されるエンジンであって、
前記車両の状態に応じて前記開閉機構の開閉を制御する制御部を備え、
前記制御部は、前記車両の状態を基にして前記開閉機構の開閉を切換えることを特徴とする請求項１に記載の内燃機関のクランク室内気圧制御システム。
【請求項３】
スロットル開度を検知するスロットル開度センサと、車両速度を検知する車速センサとを備え、
前記制御部は、前記スロットル開度センサが検知する前記スロットル開度が全閉状態で、かつ前記車速センサが検知する前記車両速度が走行状態のときに、前記開閉機構を開くことを特徴とする請求項２に記載の内燃機関のクランク室内気圧制御システム。
【請求項４】
前記エンジンの回転数を検知する回転数センサと、車両速度を検知する車速センサとを備え、
前記制御部は、前記回転数センサが検知する回転数が減少しており、かつ前記車速センサが検知する前記車両速度が走行状態のときに、前記開閉機構を開くことを特徴とする請求項２に記載の内燃機関のクランク室内気圧制御システム。
【請求項５】
前記車両の変速機のギヤポジションを検知可能なギヤポジションセンサを備え、
前記制御部は、前記ギヤポジションセンサが検知する前記ギヤポジションがニュートラルのときに、前記開閉機構を閉じることを特徴とする請求項２から請求項４のいずれかに記載の内燃機関のクランク室内気圧制御システム。
【請求項６】
前記車両のクラッチの係脱状態を検知可能なクラッチセンサを備え、
前記クラッチセンサが前記クラッチの脱離状態を検知したときに、前記制御部は、前記開閉機構を閉じることを特徴とする請求項２から請求項５のいずれかに記載の内燃機関のクランク室内気圧制御システム。
【請求項７】
前記クランクケースは、内部に変速機を収容するミッション室を備え、
前記連通室は、前記ミッション室で構成されることを特徴とする請求項１から請求項６のいずれかに記載の内燃機関のクランク室内気圧制御システム。
【発明の詳細な説明】
【技術分野】
【０００１】
本発明は、内燃機関のクランク室内気圧制御システムに関し、特に、自動二輪車に用いられる内燃機関のクランク室内気圧制御システムに関する。
【背景技術】
【０００２】
従来、車両の内燃機関において、クランクシャフトが収容されるクランク室内の気圧を適切に制御するクランク室内気圧制御システムが提案されている（例えば、特許文献１及び特許文献２参照）。特許文献１では、クランク室内のブローバイガスを排出する排出経路が、クランク室と吸気管との間に形成されている。この排出経路の途中には開閉バルブが設けられており、この開閉バルブの開度は、クランク室内の気圧に応じて調整される。これにより、クランク室内の気圧が過度に増大するのを防止することができる。
【０００３】
また、特許文献２では、エンジンオイルの循環に用いられるオイルポンプに開閉バルブが設けられている。この開閉バルブは、エンジンが過回転しているときに開かれて、クランク室が大気開放される。このため、エンジンのピストンに作用する抵抗力が増大し、エンジンブレーキ力が高められる。この結果、エンジンの回転状態を、過回転状態から通常の回転状態へと復帰させることができる。
【先行技術文献】
【特許文献】
【０００４】
【特許文献１】特開２００８−６４０７１号公報
【特許文献２】特開平０５−５４０９号公報
【発明の概要】
【発明が解決しようとする課題】
【０００５】
しかしながら、特許文献１では、クランク室内のブローバイガスの排出経路が、クランク室と吸気管とを連通する配管によって構成されているため、クランク室内の気圧を調整する構成が複雑になっていた。また、特許文献２では、エンジンの過回転時にクランク室内の気圧を調整して、エンジンブレーキ力を高めることができるものの、減速時にエンジンブレーキ力を高めることについては考慮されていなかった。
【０００６】
本発明はかかる点に鑑みてなされたものであり、減速時にエンジンブレーキ力（内燃機関の制動力）を高めると共に、クランク室内の気圧を調整する構成を簡略化することができる内燃機関のクランク室内気圧制御システムを提供することを目的とする。
【課題を解決するための手段】
【０００７】
本発明の内燃機関のクランク室内気圧制御システムは、内部にクランクシャフトを収容し、密閉された空間を有するクランク室を備えたクランクケースと、前記クランク室の内部の気体を前記クランク室の外側に排出する排出装置とを有する内燃機関のクランク室内気圧制御システムであって、前記クランクケースは、内部に前記クランク室と連通する連通室と、前記クランク室と前記連通室との連通状態を、開閉で切換える開閉機構とを備えることを特徴とする。
【０００８】
この構成によれば、クランク室内の気体が外に排出されることで、クランク室内に負圧が生じる。そして、任意の条件で開閉機構が開かれることで、クランク室と連通室とが連通される。このとき、連通室からクランク室に向かって気体が流れ込み、クランク室内の気圧が高められる。この結果、ピストンのポンピングロスが一時的に増大され、エンジンブレーキの効率が高められる。また、クランクケース内に形成された連通室と開閉機構とでクランク室内の気圧を調整することができるため、上記背景技術（特許文献１）のようにブローバイガスを排出するための配管等を設ける必要がなくなる。よって、クランク室内の気圧を調整する構成を簡略化することができる。
【０００９】
また、本発明の上記内燃機関のクランク室内気圧制御システムにおいて、前記内燃機関は、車両に搭載されるエンジンであって、前記車両の状態に応じて前記開閉機構の開閉を制御する制御部を備え、前記制御部は、前記車両の状態を基にして前記開閉機構の開閉を切換えることが好ましい。例えば、車両が加速状態の場合には、開閉機構を閉じてピストンのポンピングロスを低減させることができる。一方、車両が減速状態の場合には、開閉機構を開いてピストンのポンピングロスを増大させる。よって、必要に応じてエンジンブレーキを強く効かせることができる。
【００１０】
また、本発明の上記内燃機関のクランク室内気圧制御システムは、スロットル開度を検知するスロットル開度センサと、車両速度を検知する車速センサとを備え、前記制御部は、前記スロットル開度センサが検知する前記スロットル開度が全閉状態で、かつ前記車速センサが検知する前記車両速度が走行状態のときに、前記開閉機構を開くことが好ましい。この構成によれば、車両が通常走行状態又は加速状態のときには、開閉機構を閉じてピストンのポンピングロスを低減させることができる。一方、スロットル開度が全閉状態で、かつ車両速度が走行状態のときには、車両が減速状態にあると判断することができる。このとき、開閉機構を開くことで、ピストンのポンピングロスを増大させてエンジンブレーキを強く効かせることができる。
【００１１】
また、本発明の上記内燃機関のクランク室内気圧制御システムは、前記エンジンの回転数を検知する回転数センサと、車両速度を検知する車速センサとを備え、前記制御部は、前記回転数センサが検知する回転数が減少しており、かつ前記車速センサが検知する前記車両速度が走行状態のときに、前記開閉機構を開くことが好ましい。この構成によれば、車両が通常走行状態又は加速状態のときには、開閉機構を閉じてピストンのポンピングロスを低減させることができる。一方、エンジンの回転数が減少しており、かつ車両速度が走行状態のときには、車両が減速状態にあると判断することができる。このとき、開閉機構を開くことで、ピストンのポンピングロスを増大させてエンジンブレーキを強く効かせることができる。
【００１２】
また、本発明の上記内燃機関のクランク室内気圧制御システムは、前記車両の変速機のギヤポジションを検知可能なギヤポジションセンサを備え、前記制御部は、前記ギヤポジションセンサが検知する前記ギヤポジションがニュートラルのときに、前記開閉機構を閉じることが好ましい。この構成によれば、変速機のギヤポジションがニュートラルのときには、エンジンブレーキが不要なため、開閉機構を閉じてアイドル時のポンピングロスを低減させることができる。
【００１３】
また、本発明の上記内燃機関のクランク室内気圧制御システムは、前記車両のクラッチの係脱状態を検知可能なクラッチセンサを備え、前記クラッチセンサが前記クラッチの脱離状態を検知したときに、前記制御部は、前記開閉機構を閉じることが好ましい。この構成によれば、クラッチが脱離状態のときには、エンジンブレーキが不要なため、開閉機構を閉じてアイドル時のポンピングロスを低減させることができる。
【００１４】
また、本発明の上記内燃機関のクランク室内気圧制御システムにおいて、前記クランクケースは、内部に変速機を収容するミッション室を備え、前記連通室は、前記ミッション室で構成されることが好ましい。この場合、クランク室とミッション室とは隣接するため、クランク室とミッション室とを連通する通路を短縮化することができる。このため、クランクケースの構造を簡素化することができる。
【発明の効果】
【００１５】
本発明の内燃機関のクランク室内気圧制御システムによれば、クランクケースに形成されたクランク室と連通室との連通状態を開閉機構の開閉で切換えることにより、内燃機関の制動力を高めると共に、クランク室内の気圧を調整する構成を簡略化することができる。
【図面の簡単な説明】
【００１６】
【図１】本実施の形態に係る内燃機関の右側面図である。
【図２】本実施の形態に係る内燃機関の断面図である。
【図３】本実施の形態に係る内燃機関のクランク室内気圧制御システムを示すブロック図である。
【図４】本実施の形態に係るクランクケース内の開閉機構の開閉状態を示す図である。
【発明を実施するための形態】
【００１７】
以下、添付図面を参照して、本実施の形態に係る内燃機関のクランク室内気圧制御システムについて詳細に説明する。なお、本実施の形態に係る内燃機関のクランク室内気圧制御システムは、以下に示す構成に限定されるものではなく、適宜変更が可能である。本実施の形態に係る内燃機関のクランク室内気圧制御システムは、例えば、自動二輪車のエンジンに適用される。また、本実施の形態に係る内燃機関のクランク室内気圧制御システムは、内燃機関のクランク室内の気圧を制御するものであればどのような車両に適用されてもよい。例えば、他のタイプの自動二輪車用エンジンや、バギータイプの自動三輪車又は自動四輪車用エンジンにも適用可能である。
【００１８】
先ず、図１及び図２を参照して、本実施の形態に係る内燃機関の概略構成について説明する。図１は、本実施の形態に係る内燃機関の右側面図である。図２は、本実施の形態に係る内燃機関の断面図である。なお、本実施の形態では、車両前方を矢印ＦＲ、車両後方を矢印ＲＥでそれぞれ示す。
【００１９】
図１に示すように、本実施の形態に係る内燃機関としてのエンジン１は、クランクケース２を備えている。クランクケース２の上方には、シリンダ４が配置され、シリンダ４には、シリンダヘッド４１及びヘッドカバー４４が取り付けられている。クランクケース２の右側面（紙面手前）には、クラッチカバー２１が取り付けられている。また、クランクケース２の下方には、オイルパン３が取り付けられている。
【００２０】
図２に示すように、クランクケース２の内部には、クランク室２２とミッション室２３とが前後に並んで形成されている。クランク室２２及びミッション室２３は、仕切壁２４によって仕切られて、それぞれ密閉された空間を有している。仕切壁２４の一部は、開閉されることでクランク室２２とミッション室２３との連通状態を切換える連通バルブ２５（開閉機構）を構成する。連通バルブ２５は、プレート状に形成され、一端を支点に揺動可能に構成されている。
【００２１】
詳細は後述するが、連通バルブ２５は、ＥＣＵ８６（図３参照）によって開閉が切換えられる。例えば、車両が通常走行中又は加速中のときには、連通バルブ２５が閉じてクランク室２２が密閉され、車両が減速中のときには、連通バルブ２５が開かれてクランク室２２とミッション室２３とが連通される。このように、クランク室２２に隣接するミッション室２３が、連通バルブ２５を介してクランク室２２に連通される構成としたため、クランク室２２とミッション室２３とを連通する通路を短縮化することができる。このため、クランクケース２の構造を簡素化することができる。
【００２２】
さらに連通バルブ２５は、ＥＣＵ８６による開弁制御がないときでも開弁方向に動作可能なワンウェイ構造とし、クランク室２２の内圧がミッション室２３に較べて高圧の状態において、連通バルブ２５は制御のない状態でも開弁することが好ましい。このような構造にすることで、例えば、排出装置６の作動が不十分な場合でも、クランク室２２内の高圧の気体をミッション室２３側に逃がすことができる。
【００２３】
車両前方のクランク室２２には、回転軸が車幅方向に対して平行に配置されるようにクランクシャフト７０が収容されている。クランクシャフト７０は、軸受（不図示）を介してクランクケース２に回転可能に軸支されている。クランクシャフト７０の後方には、クラッチカバー２１（図２において不図示（図１参照））の内側に、クランクシャフト７０の回転力の断続を制御するクラッチ（不図示）が収納される。
【００２４】
車両後方のミッション室２３には、変速機５が収容されている。変速機５は、クラッチから回転力を受け取るメインシャフト５１と、後輪へ駆動力を伝えるドライブシャフト５２とを備えている。メインシャフト５１及びドライブシャフト５２には、複数のギヤが配列されており、各ギヤの組み合わせによって、車速や走行状態に応じて変速が可能になっている。
【００２５】
また、クランクケース２において、クランク室２２の下方には、ポンプ室２６が形成されている。ポンプ室２６の下方には、クランクケース２とオイルパン３とによってオイルパン室３１が形成されている。ポンプ室２６は、クランク室２２に連通されると共に、オイルパン室３１とも連通される。ポンプ室２６には、クランク室２２内の気体（ブローバイガス）を外側（オイルパン室３１側）に排出する排出装置６が収容されている。
【００２６】
排出装置６は、クランクシャフト７０の回転力を駆動源として作動し、例えば、アウターロータ６１とインナーロータ６２とを噛み合わせたギヤポンプで構成される。また、排出装置６は、エンジン１内の各部へエンジンオイルを圧送するオイルポンプと同軸に設けられる。
【００２７】
シリンダ４の内側の筒状空間には、ピストン７１がシリンダ４の軸線方向（上下方向）に往復可能に収容されている。ピストン７１とクランクシャフト７０とは、ピストン７１の往復運動がクランクシャフト７０の回転運動に変換されるようにコンロッド７２を介して連結されている。
【００２８】
シリンダヘッド４１の内側には、ピストン７１の上面、シリンダ４の内壁面及びシリンダヘッド４１の下面によって規定される燃焼室が形成されている。シリンダヘッド４１の側面には、この燃焼室内に空気を送り込む吸気ポート４２と、燃焼室外に燃焼ガスを排出する排気ポート４３とが設けられている。これらの吸気ポート４２及び排気ポート４３には、それぞれ吸気バルブ７３及び排気バルブ７４が設けられている。シリンダヘッド４１の下面には点火プラグ（不図示）が突出するように配置されており、燃焼室内の混合気を電気放電により着火可能になっている。
【００２９】
なお、エンジン１の吸排気機構には、カムシャフト７５によって吸気バルブ７３及び排気バルブ７４を開閉するＯＨＣ（Overhead  Camshaft）形式が利用される。カムシャフト７５は、吸気バルブ７３及び排気バルブ７４の開閉タイミングに応じた形状のカムを備える。カムシャフト７５の一端側は、スプロケット、カムチェーン等の動力伝達機構（不図示）を介してクランクシャフト７０に連結されている。
【００３０】
また、吸排気機構は、カムシャフト７５の前後にそれぞれ、排気ロッカーアーム７６と吸気ロッカーアーム７７とを備えている。クランクシャフト７０の回転力がカムシャフト７５に伝達され、カムシャフト７５が回転されることで、カムを介して各ロッカーアーム７６、７７が駆動される。これにより、吸気バルブ７３及び排気バルブ７４が適時に開閉される。
【００３１】
４ストロークで動作するエンジン１においては、ピストン７１が下降する際に吸気バルブ７３が開き、吸気ポート４２を通じて混合気が燃焼室に送り込まれる（吸気行程）。その後、吸気バルブ７３が閉じ、ピストン７１が上昇して混合気を圧縮する（圧縮行程）。ピストン７１が上死点に到達すると、点火プラグによって点火されて圧縮された混合気が燃焼する（燃焼行程）。混合気の燃焼によって燃焼室内の圧力が増大するとピストン７１が下降する。ピストン７１の下降運動は、コンロッド７２を介してクランクシャフト７０に伝達され、クランクシャフト７０が回転する。その後、ピストン７１が下死点まで下降して慣性によって再度上昇に転じる際に、排気バルブ７４が開いて排気ポート４３から燃焼ガスが排出される（排気行程）。
【００３２】
次に、図２及び図３を参照して、本実施の形態に係る内燃機関のクランク室内気圧制御システムについて説明する。図３は、本実施の形態に係る内燃機関のクランク室内気圧制御システムを示すブロック図である。
【００３３】
図２及び図３に示すように、本実施の形態に係るエンジン１のクランク室内気圧制御システム８は、車両の走行状態に応じて連通バルブ２５の開閉を切換えるように構成されている。これにより、クランク室２２とミッション室２３（連通室）との連通状態が切換えられ、クランク室２２内の気圧を調整することができる。この結果、必要に応じてピストン７１のポンピングロスを増大させることができ、エンジンブレーキの効率を高めることができる。
【００３４】
クランク室内気圧制御システム８は、スロットル開度センサ８１、車速センサ８２、回転数センサ８３、ギヤポジションセンサ８４、クラッチセンサ８５、及びＥＣＵ８６（Engine  Control  Unit）を備えている。スロットル開度センサ８１は、スロットル開度を検知する。車速センサ８２は、車両速度を検知する。回転数センサ８３は、エンジン１の回転数を検知する。ギヤポジションセンサ８４は、変速機５のギヤポジションを検知する。クラッチセンサ８５は、クラッチ（不図示）の係脱状態を検知する。これらの各センサで検知された信号は、本実施の形態に係る制御部を構成するＥＣＵ８６に入力される。
【００３５】
エンジン１を統括制御するＥＣＵ８６は、エンジン１内の各種処理を実行するプロセッサやメモリ等により構成されている。メモリは、用途に応じてＲＯＭ（Read  Only  Memory）、ＲＡＭ（Random  Access  Memory）等の記憶媒体で構成される。ＥＣＵ８６は、上述した各種センサから入力された信号を基に車両の状態を判断し、連通バルブ２５の開閉の切換えを制御する。
【００３６】
次に、図３及び図４を参照して、連通バルブの開閉状態及び、連通バルブの開閉制御について説明する。図４は、本実施の形態に係るクランクケース内の連通バルブの開閉状態を示す図である。図４Ａは連通バルブが閉じられた状態を示し、図４Ｂは連通バルブが開かれた状態を示す。なお、図４においては、エンジン１が作動している状態、すなわち、クランクシャフト７０が回転している状態を示している。
【００３７】
先ず、連通バルブ２５の開閉状態について説明する。図４Ａに示すように、例えば、車両が通常走行中、連通バルブ２５は、クランクケース２の仕切壁２４に沿って閉じられており、クランク室２２内は密閉されている。クランクシャフト７０の回転に応じて排出装置６が駆動されると、クランク室２２内の気体（ブローバイガス）は、排出装置６によって外側（オイルパン室３１側）に排出される。これにより、クランク室２２内の気圧は負圧になり、ピストン７１のポンピングロスが低減される。この結果、エンジン１内のエネルギーロスが抑えられ、車両の燃費が向上される。
【００３８】
連通バルブ２５が閉じられた状態では、クランク室２２内が負圧であるのに対し、ミッション室２３内は大気圧で落ち着いている。よって、クランク室２２内とミッション室２３内とでは、気圧差が生じている。この状態から、図４Ｂに示すように、連通バルブ２５が開かれると、クランク室２２とミッション室２３（連通室）とが連通される。よって、ミッション室２３内の気体は、上述した気圧差によって、連通バルブ２５を通じてクランク室２２内に流れ込む。この結果、クランク室２２内の気圧が負圧から大気圧まで高められる。このように、クランク室２２を大気開放し、クランク室２２内の気圧を相対的に高めることで、ピストン７１のポンピングロスを増大させることができる。よって、エンジンブレーキを強く効かせることができる。
【００３９】
次に、連通バルブ２５の開閉制御について説明する。図３及び図４に示すように、ＥＣＵ８６は、スロットル開度センサ８１及び車速センサ８２から入力される信号に基づいて、車両の状態を判断する。例えば、スロットル開度センサ８１が検知するスロットル開度が全閉状態で、かつ車速センサ８２が検知する車両速度が走行状態であれば、乗員に加速する意思がないものとして、ＥＣＵ８６は、車両が減速状態にあると判断する。この場合、ＥＣＵ８６は、連通バルブ２５を開き、クランク室２２とミッション室２３とを連通させてクランク室２２を大気開放する。この結果、ピストン７１のポンピングロスが増大され、一時的にエンジンブレーキ力を高めることができる。よって、減速の効率が向上される。
【００４０】
なお、連通バルブ２５は、開かれて一定時間経過した後に閉じられることが好ましい。一方、スロットル開度センサ８１が検知するスロットル開度が全閉状態でなければ、ＥＣＵ８６は、車両が通常走行状態又は加速状態にあると判断する。この場合、ＥＣＵ８６は、連通バルブ２５を開くことなく閉じたままとなる。これにより、クランク室２２が密閉された状態で排出装置６によってクランク室２２内の気体が外側に排出され、ポンピングロスが低減される。
【００４１】
このように、減速したいときに効率よくエンジンブレーキ力を高めることで、リヤブレーキを用いることなく、車両を減速させることができる。例えば、コーナリングの際に、リヤブレーキが設けられた側に車両をバンクさせながら減速する場合、リヤブレーキの操作が非常に困難である。また、リヤブレーキの操作に依存すると乗員の技量によって旋回力に差が生じる。本実施の形態では、上記の様にリヤブレーキを操作し難い場合にエンジンブレーキを強く効かせることで、旋回力が高められ、操作性が向上される。
【００４２】
また、車両の状態を判断する方法として、以下の方法がある。ＥＣＵ８６は、エンジン１の回転数を検知する回転数センサ８３及び車速センサ８２から入力される信号に基づいて、車両の状態を判断することが可能である。例えば、回転数センサ８３が検知するエンジン１の回転数が減少しており、かつ車速センサ８２が検知する車両速度が走行状態であれば、ＥＣＵ８６は、車両が減速状態にあると判断する。このとき、ＥＣＵ８６は、連通バルブ２５を開く。一方、エンジン１の回転数が増加している場合、ＥＣＵ８６は、車両が通常走行状態又は加速状態にあると判断する。このとき、ＥＣＵ８６は、連通バルブ２５を閉じる。
【００４３】
また、ＥＣＵ８６は、ギヤポジションセンサ８４から入力される信号に基づいて、車両の状態を判断することもできる。例えば、ギヤポジションセンサ８４が検知するギヤポジションがニュートラルの場合、ＥＣＵ８６は、エンジンブレーキが不要と判断する。このとき、ＥＣＵ８６は、連通バルブ２５を閉じて排出装置６を作動させる。このため、アイドル時のポンピングロスを低減させることができ、燃費が向上される。クラッチセンサ８５から入力される信号においても同様で、クラッチセンサ８５がクラッチの脱離状態を検出した場合、ＥＣＵ８６は、エンジンブレーキが不要と判断する。そして、上述したように、ＥＣＵ８６は、連通バルブ２５を閉じる。
【００４４】
以上のように、本実施の形態に係るエンジン１のクランク室内気圧制御システム８によれば、車両の状態に応じて、連通バルブ２５の開閉や排出装置６のオンオフを制御することで、クランク室２２内の気圧を調整することができる。この結果、ピストン７１のポンピングロスを調整することができる。車両が通常走行状態又は加速状態にあれば、クランク室２２を負圧にしてポンピングロスを低減させる。これにより、ピストンが下がり易くなり、エンジン１の燃費が向上する。一方、車両が減速状態にあれば、クランク室２２を大気開放してポンピングロスを増大させる。これにより、エンジンブレーキを強く効かせることでき、減速の効率が高められる。また、クランクケース２内に形成されたミッション室２３及び連通バルブ２５と、排出装置６とでクランク室２２内の気圧を調整することができるため、ブローバイガスを排出するための配管等を設ける必要がなくなる。例えば、クランク室２２とエンジン１の吸気管（不図示）とを配管で連通させて、クランク室２２内のブローバイガスを吸気管側に排出する構成に比べて、クランク室２２内の気圧を調整する構成を簡略化することができる。
【００４５】
なお、本発明は上記実施の形態に限定されず、種々変更して実施することが可能である。上記実施の形態において、添付図面に図示されている大きさや形状などについては、これに限定されず、本発明の効果を発揮する範囲内で適宜変更することが可能である。その他、本発明の目的の範囲を逸脱しない限りにおいて適宜変更して実施することが可能である。
【００４６】
例えば、車両が減速状態であって連通バルブ２５を開く際に、ＥＣＵ８６は排出装置６を停止させることが好ましい。この場合、クランク室２２内の気体排出が停止されるため、クランク室２２内の高圧気体を開放する際の応答性が向上する。この結果、より素早くエンジンブレーキを効かせることができる。一方、車両が通常走行状態又は加速状態で連通バルブ２５が閉じられている状態となったときに、ＥＣＵ８６は排出装置６を作動させることが好ましい。
【００４７】
例えば、上記実施の形態においては、開閉機構を連通バルブ２５で構成し、連通バルブ２５の開閉でクランク室２２とミッション室２３の連通状態を切換える構成としたが、この構成に限定されない。開閉機構は、クランク室２２を開閉する構成であれば、どのように構成されてもよい。
【００４８】
また、上記実施の形態において、連通室をミッション室２３で構成したが、この構成に限定されない。連通室は、ミッション室２３ではなく、クランクケース２内の別の空間、例えば、マグネト室や、クランク室と隔離形成されたバランサシャフト格納空間等で構成されてもよい。
【００４９】
また、上記実施の形態において、スロットル開度センサ８１で、スロットル開度を検知する構成としたが、この構成に限定されない。例えば、エンジン１の吸気管内の圧力を吸気圧センサで検知し、その圧力値を基にして、スロットル開度を推定してもよい。
【００５０】
また、上記実施の形態においては、排出装置６をギヤポンプで構成したが、この構成に限定されない。排出装置６は、例えば、クランク室２２内の気圧が所定圧力に達した時にクランク室２２内の気体を外側に排出する一方弁で構成されてもよい。
【００５１】
また、上記実施の形態において、連通バルブ２５の開閉がＥＣＵ８６によって自動制御される構成としたが、この構成に限定されない。連通バルブ２５は、機械的に開閉されてもよく、乗員の任意の操作によって開閉されてもよい。例えば、乗員のブレーキ操作に連動して、連通バルブ２５が開閉されてもよい。
【産業上の利用可能性】
【００５２】
以上説明したように、本発明は、内燃機関の制動力を高めると共に、クランク室内の気圧を調整する構成を簡略化することができるという効果を有し、特に、自動二輪車に用いられる内燃機関のクランク室内気圧制御システムに有用である。
【符号の説明】
【００５３】
２  クランクケース
２２  クランク室
２３  ミッション室（連通室）
２５  連通バルブ（開閉機構）
５  変速機
６  排出装置
７０  クランクシャフト
８  クランク室内気圧制御システム
８１  スロットル開度センサ
８２  車速センサ
８３  回転数センサ
８４  ギヤポジションセンサ
８５  クラッチセンサ
８６  ＥＣＵ（制御部）
【図１】
2015224591.tif 000003
【図２】
2015224591.tif 000004
【図３】
2015224591.tif 000005
【図４】
2015224591.tif 000006